(57)【要約】      （修正有）【課題】主として足の不自由な人に便利に使用され種々の部材から構成される単一の器具本体の前記部材の一部を取り外すか又は各機能を果すための機能部材を一部の部材を取り外した前記器具本体に取り付けて各種の機能器具を構成することの出来る多機能健康器具を提供する。【解決手段】上部前枠体３と上部横棒体４と案内棒体５と摺動支持棒体６と下部枠体７と座板体１１等とから構成される器具本体１の前記部材の一部を取り外すか又は別の機能材を取り外した器具本体１に取り付けることにより、歩行用，用便用，シャワー用，くつろぎ用，ベット代行用等の諸機能を有する器具を形成することが出来る。【選択図】図１
0003195015.tif 000002
【実用新案登録請求の範囲】
【請求項１】
各種部材を連結固定又は着脱可能に連結して形成される器具本体の一部を取り外すか又は他の機能用部材を一部の前記部材を取り外した前記器具本体に組み付けて形成される機能器具体からなる多機能健康器具であって、前記器具本体は、人体が入り込み可能な寸法にＵ字形状に折り曲げられて最上部前側に配置されるパイプ状材からなる上部前枠体と、該上部前枠体の左右の折り曲げ端の開口部に前端側を着脱可能に挿入され後方に向かって水平に伸延されるパイプ状材からなる上部横棒体と、該上部横棒体の中間部に上端を連結して垂下する案内棒体と、該案内棒体に摺動可能に、かつ所望位置に固定可能に連結して垂下する摺動支持棒体と、該摺動支持棒体の下端をその中間部に連結固定し水平方向に沿ってＵ字形状に折り曲げられて下面側に配置されるパイプ状材からなる下部枠体と、左右の前記下部枠体間に挿脱可能に連結され地表面にその下面を当接して前記器具本体を支える支え部材と、前記下部枠体に固定され地表面に当接して前記器具本体を移動可能に支持するキャスタと、左右の前記上部横棒体の後端に着脱可能に介設される上部後板体と、前記上部横棒体の後端に着脱可能に装着される座板体とからなり、該座板体は、前記上部横棒体の後端に挿脱可能に装着される挿入棒体と該挿入棒体の後端に上端を連結して垂下すると共に垂下長さを調整可能に配置される垂下体と該垂下端の下端に後端を連結し前方に向かって水平方向に展開する枠体でその高さ位置が座る姿勢状態にある人体の尻部の高さに等しい位置に調整可能に配置される水平枠体とからなり、前記機能器具体は、前記器具本体の前記座板体を取り外してなる歩行用機能器具と、前記器具本体の前記上部前枠体を取り外すと共に前記座板体の水平枠体上に便器の用便用の孔に等しい開口孔を有する用便用蓋板を搭載してなる用便用機能器具と、前記用便用蓋板の替りに防水製の板体を搭載してなるシャワー用機能器具と、前記用便用蓋板の替りに着座用板を搭載してなるくつろぎ用機能器具と、前記着座用板の上面又は前記水平枠体上に搭載され折り曲げ角度自在のベット用板を有するベット代行用機能器具とからなることを特徴とする多機能健康器具。
【請求項２】
前記上部前枠体及び／又は上部横棒体には人体を安全に保持するための安全把持ハンドルが着脱可能に連結され、前記下部枠体には前記器具本体を前後左右安全に支持するための支え板が着脱可能に配置されることを特徴とする請求項１に記載の多機能健康器具。
【考案の詳細な説明】
【技術分野】
【０００１】  本考案は、多種部材を連結して構成される器具本体の前記部材の一部を取り外しするか又は取り外した前記器具本体に各種機能を果すために必要な機能用部材を取り付けて歩行用，用便用，シャワー用，くつろぎ用，ベット用等の多機能を有する機能器具体に変化するようにした多機能健康器具に関する。
【背景技術】
【０００２】  若い時は健康であった人でも加齢に伴って歩行が不自由になったり寝たきりになったり用便が自由に出来なくなったり、シャワーを浴びる動作が不自由になったり、食事や読書，テレビ観賞も自由に出来ず、横架動作も不自由になる場合が多く発生する。
このような不自由は誰しも望むものではないが、もし不自由になった場合には自宅でこの不自由さを解消することが望ましいが一般には中々出来ず、介護施設に頼ることになる。しかしながら、この施設もその数に限度があり、費用がかかり利用することが難しいことが現実であり、高齢化に伴って増々不便となる。更にこの施設の運営には莫大な費用が必要になり国としても費用がかかり国家の安全財政維持を怪しくする危険がある。
この不具合を解消するため、色々の器具が開発されてはいるが、簡便で使い易く、便利で種々な機能を一台で共存出来る器具は見当らない。なお、出願人の調査によると「特許文献１」の如きものがあるが、このものは歩行具としての機能のみを有するものであり、本考案のように一台の器具で多機能の用途に適用出来るものではない。
【先行技術文献】
【特許文献】
【０００３】
【特許文献１】特開２００７−２０２８８０号（図１）
【考案の概要】
【考案が解決しようとする課題】
【０００４】  器具の使用者としては自分の希望する機能を有する器具が必要であり、これが容易に簡便に、かつ安価に使用出来ることを望む。一方、使用者としては必要とする機能は単一のものでなく、各種の機能を有する器具を望む場合も多い。この場合単一の器具でその器具の一部を少し変更するだけで他の機能を有する器具になれば極めて望ましい。以上のように使用者としては単一の器具ではあるが自分の希望する諸機能を有する器具があればよいと望むのが通常である。【０００５】  本考案は、以上の事情に鑑みて考案されたものであり、一台の器具本体をベースとし器具本体の一部を取り外すか又は機能用部材を取り付けることにより多機能の器具として利用出来、前記した種々の不具合を解消することが出来、簡便，安価のものからなる多機能健康器具を提供することを目的とする。
【課題を解決するための手段】
【０００６】  本考案は、以上の目的を達成するために請求項１の考案は、各種部材を連結固定又は着脱可能に連結して形成される器具本体の一部を取り外すか又は他の機能用部材を一部の前記部材を取り外した前記器具本体に組み付けて形成される機能器具体からなる多機能健康器具であって、前記器具本体は、人体が入り込み可能な寸法にＵ字形状に折り曲げられて最上部前側に配置されるパイプ状材からなる上部前枠体と、該上部前枠体の左右の折り曲げ端の開口部に前端側を着脱可能に挿入され後方に向かって水平に伸延されるパイプ状材からなる上部横棒体と、該上部横棒体の中間部に上端を連結して垂下する案内棒体と、該案内棒体に摺動可能に、かつ所望位置に固定可能に連結して垂下する摺動支持棒体と、該摺動支持棒体の下端をその中間部に連結固定し水平方向に沿ってＵ字形状に折り曲げられて下面側に配置されるパイプ状材からなる下部枠体と、左右の前記下部枠体間に挿脱可能に連結され地表面にその下面を当接して前記器具本体を支える支え部材と、前記下部枠体に固定され地表面に当接して前記器具本体を移動可能に支持するキャスタと、左右の前記上部横棒体の後端に着脱可能に介設される上部後板体と、前記上部横棒体の後端に着脱可能に装着される座板体とからなり、該座板体は、前記上部横棒体の後端に挿脱可能に装着される挿入棒体と該挿入棒体の後端に上端を連結して垂下すると共に垂下長さを調整可能に配置される垂下体と該垂下端の下端に後端を連結し前方に向かって水平方向に展開する枠体でその高さ位置が座る姿勢状態にある人体の尻部の高さに等しい位置に調整可能に配置される水平枠体とからなり、前記機能器具体は、前記器具本体の前記座板体を取り外してなる歩行用機能器具と、前記器具本体の前記上部前枠体を取り外すと共に前記座板体の水平枠体上に便器の用便用の孔に等しい開口孔を有する用便用蓋板を搭載してなる用便用機能器具と、前記用便用蓋板の替りに防水製の板体を搭載してなるシャワー用機能器具と、前記用便用蓋板の替りに着座用板を搭載してなるくつろぎ用機能器具と、前記着座用板の上面又は前記水平枠体上に搭載され折り曲げ角度自在のベット用板を有するベット代行用機能器具とからなることを特徴とする。【０００７】  また、請求項２の考案は、前記上部前枠体及び／又は上部横棒体には人体を安全に保持するための安全把持ハンドルが着脱可能に連結され、前記下部枠体には前記器具本体を前後左右安全に支持するための支え板が着脱可能に配置されることを特徴とする。
【考案の効果】
【０００８】  本考案の請求項１の多機能健康器具によれば、各種部材の組み合わせ連結によって形成される器具本体をベースとして各種機能を有する機能用器具を形成することが出来、１つの器具のみにより所望の各種の機能を果すことが出来、極めて便利である。また、１つの器具のため取り扱い性や収納性もよく、簡便で安価に実施することが出来る。【０００９】  また、請求項２の多機能健康器具によれば、取り扱い時における安全性が確実に保持される。
【図面の簡単な説明】
【００１０】
【図１】本考案の器具本体を示す模式的斜視図（ａ）及び上部後板体の詳細構造と動作を示す斜視図（ｂ）。
【図２】器具本体における座板体を示す模式的斜視図。
【図３】歩行用機能器具を示す模式的斜視図。
【図４】用便用機能器具を示す模式的斜視図。
【図５】シャワー用機能器具を示す模式的斜視図。
【図６】くつろぎ用機能器具を示す模式的斜視図。
【図７】ベット用機能器具を示す模式的斜視図（ａ）及びベット背面支持体の詳細構造を示す斜視図（ｂ）。
【図８】キャスタ及び支え板を示す斜視図。
【図９】歩行用機能器具の使用状態を示す正面図。
【図１０】用便用機能器具を示す斜視図。
【図１１】シャワー用機能器具の使用状態を示す斜視図。
【図１２】くつろぎ用機能器具の使用状態の一例を示す斜視図。
【図１３】ベット用機能器具の使用状態を示す斜視図。
【考案を実施するための形態】
【００１１】  以下、本考案の多機能健康器具の実施の形態を図面を参照して詳述する。
本考案の多機能健康器具１００は大別して器具不体１と機能器具体２とからなり、機能器具体２は歩行用，用便用，シャワー用，くつろぎ用，ベット用からなり、以下にその内容を詳述する。
【００１２】  まず、器具本体１を図１及び図２により説明する。
図１に示すように、器具本体１は次の部材を組み合わせて一体化したものになる。
まず、上部には上部前枠体３があり、その高さは調整可能であるが人体の胸の当りが当接する位置に配置される。この上部前枠体３はパイプ状材をＵ字形状に折り曲げたものからなる。その左右端には開口部３ａが形成されている。
【００１３】  上部横棒体４はパイプ状材からなる中空パイプからなり、その前端は上部前枠体３の開口部３ａに挿入されて固定され後方に向かって水平に配設される。この上部横棒体４の後端には開口部４ａが形成されている。
【００１４】  上部横棒体４の後端には上部後板体１０が着脱可能に取り付けられていると共に後に説明する座板体１１が着脱可能に装着される。なお、上部後板体１０は平板からなり、人体の背面に当接して人体を安定支持するために配置されるものである。なお、図１の（ｂ）の（ｂ）に示すように上部後板体１０は取り外し自在及び回動自在に形成されるものからなる。
【００１５】  上部横棒体４にはパイプ状材の案内棒体５の上端部が連結（固定）されて垂下され、この案内棒体５の下端側には摺動支持棒体６の上端側が装着され垂下される。なお、図示されていないが案内棒体５と摺動支持棒体６とは挿入位置調整可能に形成され、所望の位置で固定されるように形成されている。
【００１６】  摺動支持棒体６の下端にはパイプ状材をＵ字形状に折り曲げた下部枠体７が連結固定されている。なお、摺動支持棒体６は下部枠体７の略中間位置に連結固定されて配置される。また、左右の下部枠体７，７間の巾寸法は器具本体１の中では最も広いが家庭用のトイレの入口の巾寸法より少寸に形成されている。
【００１７】  また、左右の下部枠体７間には支え部材８が介設され、この支え部材８は地表面に下面を当接する状態で配設される。また、下部枠体７にはキャスタ９や後に説明する支え板１８（図８）が設けられ、これ等は地表面に当接する状態で配設される。
【００１８】  座板体１１は器具本体１の構成部材ではあるが上部横棒体４の後端側に挿脱可能に配置されるものからなり、図２にその詳細構造を示す。即ち、座板体１１は上部横棒体４の後端の開口部４ａに挿入される挿入棒体１１ａと挿入棒体１１ａの後端から垂下する垂下体１１ｂと垂下体１１ｂの下端に後端側を連結して水平方向に沿って前方側に展開する水平枠体１１ｃとからなる。なお、垂下体１１ｂは高さ方向調整自在に形成され、水平枠体１１ｃは四角板を搭載保持出来る四角状の枠体からなる。また、水平枠体１１ｃの取り付け高さは便器等の高さの相異するものや人体の身長等の差を考慮し座る姿勢の状態にある人体の尻部の高さに略等しい位置に調整に配置される。
【００１９】  次に、各種の機能器具体２について図３乃至図７により説明する。
図３は歩行用機能器具１２の一例を示す。この歩行用機能器具１２は器具本体１から座板体１１を取り外したものからなる。この歩行用機能器具は互いに歩行訓練を必要とする人に対して有効であり、図９にはその使用状態が示されている。この歩行用機能器具１２に図９に示すように入り込み、自由に任意の方向に移動することにより足の不自由な人でも足腰が強くなり、寝たきりにならない効果を上げることが出来る。なお、この歩行用機能器具１２の場合は、安全把持ハンドル１７が設けられ、安全性の確保を得ることが出来る。
【００２０】  図４は用便用機能器具１３の一例を示す。このものは器具本体１から上部前枠体３を取り外し、座板体１１の水平枠体１１ｃの上面に用便用蓋体１３ａを搭載したものからなる。なお、用便用蓋体１３ａは図示のように便器の用便用の孔に等しい開口孔１３ｂを形成するものからなる。図１０はこの用便用機能器具１３を便器１９にセットした状態を示す。図示のように身体の不自由な人でもこの用便用機能器具１３を用いることにより他人の助けを求めることなく、用便を簡単に行うことが出来る。また、用便用蓋体１３ａはその高さ位置が調整可能である。これは便器の高さがメーカにより違い、地表面より３８０ｍｍ乃至４９０ｍｍとその高さ位置が大きく相違するためである。なお、図４では器具本体１の上部後板体１０や支え部材８が取り外されているが勿論あってもよい。
【００２１】  図５はシャワー用機能器具１４の一例を示す。このものは図４に示した用便用蓋体１３ａの替りに防水製の板体１４ａを用いたものであり、他の構造は用便用機能器具１３と同様である。図１１はその使用状態を示すものである。
【００２２】  図６はくつろぎ用機能器具１５の一例を示すものである。このものは図５に示した防水製の板体１４ａの替りにクッション製のある着座用板１５ａを用いたものである。図１２はその使用状態を示すものであり、この図では別のテーブル２０を準備し食事等が出来るようにした一例を示すものである。勿論このものにより読書やテレビ観賞等を行うことが出来る。勿論対談も可能である。
【００２３】  図７はベット代行用機能器具１６の一例を示したものである。このものは図示のように図５や図６と同じ状態の座板体１１の上に人間が横になれる又は水平位置に横架出来るベット１６ａを搭載したものである。このベット１６ａの形態や形状は任意のものでよいが、例えば図１３に示すように人間の頭部や足部を乗せるための椅子２１や台２２が必要となる場合が有る。また、上部横棒体４の後端側にはコ字形状の枠体からなるベット背面支持体２３が挿脱可能に取り付けられベット１６ａり背面を安定支持するようにしている。
【００２４】  以上に本考案の種々の機能器具体２を説明したが本考案はこれ等の機能器具体２に限定するものでなく、器具本体１をベースとした他の機能器具体に対しても適用可能であることは勿論である。
【００２５】  図８は本考案に使用されているキャスタ９や支え板１８の構造を示すものである。キャスタ９は前記の各図に示すように下部枠体７のコーナの部分に配置されているものでブラケット９ａや地表面に当接するローラ９ｂ等からなる一般的なものである。
一方、支え板１８は前記の各図にはその全体の取り付け状態が明示されていないが、器具本体１の全体を安定支持するために下部枠体７の前後左右（全体で約８個）取り付けられたものであり、図８に示すようにその基部１８ａは下部枠体７に着脱可能に回動可能に取り付けられ基部１８ａから伸延した細長板部１８ｂの先端には地表面に搭載するローラ１８ｃが設けられているものからなる。
【００２６】  本考案は、以上の説明の内容からなるが、勿論これに限定するものではなく、同一技術的範疇のものが適用されことは勿論である。
【産業上の利用可能性】
【００２７】  本考案は、身体の不自由な人や寝たきり防止の人々に対して有効ではあるが、身体健康な人々に対しても適用出来るものであり、身体を健康に保持し、安全性のある生活を送る事を願うすべての人々に対して適用可能であり、その利用範囲は極めて広い。これからの高齢化を支えた場合にはすべての家庭や施設等に設置されることが望ましい。
【符号の説明】
【００２８】１      器具本体
２      機能器具体
３      上部前枠体
３ａ    開口部
４      上部横棒体
４ａ    開口部
５      案内棒体
６      摺動支持棒体
７      下部枠体
８      支え部材
９      キャスタ
９ａ    ブラケット
９ｂ    ローラ
１０    上部後板体
１１    座板体
１１ａ  挿入棒体
１１ｂ  垂下体
１１ｃ  水平枠体
１２    歩行用機能器具
１３    用便用機能器具
１３ａ  用便用蓋体
１４    シヤワー用機能器具
１４ａ  防水製の板体
１５    くつろぎ用機能器具
１５ａ  着座用板
１６    ベット代行用機能器具
１６ａ  ベット
１７    安全把持ハンドル
１８    支え板
１９    便器
２０    テーブル
２１    椅子
２２    台
２３    ベット背面支持体
１００  多機能健康器具
【図１】
0003195015.tif 000003
【図２】
0003195015.tif 000004
【図３】
0003195015.tif 000005
【図４】
0003195015.tif 000006
【図５】
0003195015.tif 000007
【図６】
0003195015.tif 000008
【図７】
0003195015.tif 000009
【図８】
0003195015.tif 000010
【図９】
0003195015.tif 000011
【図１０】
0003195015.tif 000012
【図１１】
0003195015.tif 000013
【図１２】
0003195015.tif 000014
【図１３】
0003195015.tif 000015